(57)【要約】【課題】冷媒配管を電磁誘導によって加熱する場合であっても局所的な発熱を抑えつつ周囲への磁界の漏れ出しを抑えることが可能な電磁誘導加熱ユニットおよび空気調和装置を提供する。【解決手段】冷媒配管を電磁誘導加熱する電磁誘導加熱ユニットであって、コイル６８と、外部部材７５とを備えている。コイル６８は、冷媒配管の近傍に配置されている。外部部材７５は、コイルの冷媒配管側である内側とは反対側の外側に配置され、冷媒配管を周方向に一周しており、磁性体を含んでいる。【選択図】図９
2010159907.tif 000002
【特許請求の範囲】
【請求項１】
冷媒配管（Ｆ）および／または前記冷媒配管（Ｆ）中を流れる冷媒と熱的接触をする部材を加熱する電磁誘導加熱ユニット（６）であって、
前記冷媒配管（Ｆ）の近傍に配置されたコイル（６８）と、
前記コイル（６８）の前記冷媒配管（Ｆ）側である内側とは反対側の外側に配置され、前記冷媒配管（Ｆ）を周方向に一周しており、磁性体を含んでいる外部部材（７５、１７５）と、
を備えた電磁誘導加熱ユニット（６）。
【請求項２】
前記コイル（６８）は、前記冷媒配管（Ｆ）の少なくとも一部の回りを取り巻いている、
請求項１に記載の電磁誘導加熱ユニット（６）。
【請求項３】
前記外部部材（７５）は、周方向の少なくとも１部に溶接による接続部分を有している、
請求項１または２に記載の電磁誘導加熱ユニット（６）。
【請求項４】
少なくとも前記コイル（６８）の外側であって前記外部部材（７５）の内側に配置された部分を有しており、磁性体を含んでいる磁性体部（７１、７２、７３、７４、９８、９９）をさらに備えた、
請求項１から３のいずれか１項に記載の電磁誘導加熱ユニット（６）。
【請求項５】
前記磁性体部（７１、７２、７３、７４、９８、９９）は、フェライトを含んでいる、
請求項４に記載の電磁誘導加熱ユニット（６）。
【請求項６】
前記外部部材（７５）と、前記磁性体部（７１、７２、７３、７４、９８、９９）とは、前記冷媒配管（Ｆ）の延びる方向に対して垂直な面上において前記冷媒配管（Ｆ）を外側から見た場合に、互いに重なる位置に配置されている部分を有している、
請求項４または５に記載の電磁誘導加熱ユニット（６）。
【請求項７】
前記冷媒配管（Ｆ）の延びる方向において、前記外部部材（７５）の両端部は、前記磁性体部（７１、７２、７３、７４、９８、９９）の両端部よりも内側に位置している、
請求項４から６のいずれか１項に記載の電磁誘導加熱ユニット（６）。
【請求項８】
前記磁性体部（７１、７２、７３、７４、９８、９９）の材質は、前記外部部材（７５）よりも磁束を集めやすい材質である、
請求項７に記載の電磁誘導加熱ユニット（６）。
【請求項９】
前記磁性体部（７１、７２、７３、７４、９８、９９）と前記外部部材（７５）とは、直接接触する部分が無いように位置決めされている、
請求項５から８のいずれか１項に記載の電磁誘導加熱ユニット（６）。
【請求項１０】
請求項１から９のいずれか１項に記載の電磁誘導加熱ユニット（６）と、
前記冷媒配管（Ｆ）に冷媒を流す部分を含む冷凍サイクル（１０）と、
を備えた空気調和装置（１）。
【請求項１１】
前記電磁誘導加熱ユニット（６）は、前記外部部材（７５）に対して固定され、前記外部部材（７５）の外側に向けて延びた部分を有している突出部材（９３）をさらに含んでおり、
前記外部部材（７５）の外側に配置され、前記突出部材（９３）と当接した状態で少なくとも前記電磁誘導加熱ユニット（６）の落下を留める被当接部材（２２）をさらに備え、
前記突出部材（９３）と前記被当接部材（２２）とは、前記電磁誘導加熱ユニット（６）の落下を留めている状態で接し、前記電磁誘導加熱ユニット（６）が落下し始める前の状態では接する部分が無いように配置されている、
請求項１０に記載の空気調和装置（１）。
【請求項１２】
前記電磁誘導加熱ユニット（６）は、前記外部部材（７５）に対して固定され、前記外部部材（７５）の外側に向けて延びた部分を有している突出部材（９３）をさらに含んでおり、
前記外部部材（７５）の外側に配置され、前記突出部材（９３）と当接した状態で少なくとも前記電磁誘導加熱ユニット（６）の回転を防止する被当接部材（Ｂ、Ｆ）をさらに備え、
前記突出部材（９３）と前記被当接部材（Ｂ、Ｆ）とは、前記電磁誘導加熱ユニット（６）の回転を留めている状態で接し、前記電磁誘導加熱ユニット（６）が回転し始める前の状態では接する部分が無いように配置されている、
請求項１０に記載の空気調和装置（１）。
【請求項１３】
電磁誘導加熱ユニット（６）は、前記外部部材（７５）に対して固定され、前記外部部材（７５）の外側に向けて延びた部分を有している突出部材（９３）をさらに含んでおり、
前記外部部材（７５）の外側に配置され、前記突出部材（９３）と当接した状態で少なくとも前記電磁誘導加熱ユニット（６）の落下を防止する被当接落下防止部材（２２）と、
前記外部部材（７５）の外側に配置され、前記突出部材（９３）と当接した状態で少なくとも前記電磁誘導加熱ユニット（６）の回転を防止する被当接回転防止部材（Ｂ、Ｆ）と、
をさらに備え、
前記突出部材（９３）と前記被当接落下防止部材（２２）とは、前記電磁誘導加熱ユニット（６）の落下を留めている状態で接し、前記電磁誘導加熱ユニット（６）が落下し始める前の状態では接する部分が無いように配置され、
前記突出部材（９３）と前記被当接回転防止部材（Ｂ、Ｆ）とは、前記電磁誘導加熱ユニット（６）の回転を留めている状態で接し、前記電磁誘導加熱ユニット（６）が回転し始める前の状態では接する部分が無いように配置されている、
請求項１０に記載の空気調和装置（１）。
【請求項１４】
前記電磁誘導加熱ユニット（６）は、前記冷媒配管（Ｆ）との相対位置を定めるために前記冷媒配管（Ｆ）の外周から径方向内側に力を作用させる部分を有している固定部材（６１、６２）をさらに備え、
前記固定部材（６１、６２）は、前記冷媒配管（Ｆ）と熱膨張係数が異なっており、
前記コイル（６８）に電力が供給されて生じる磁界によって前記冷媒配管（Ｆ）は熱膨張する、
請求項１１から１３のいずれか１項に記載の空気調和装置（１）。
【発明の詳細な説明】
【技術分野】
【０００１】
本発明は、電磁誘導加熱ユニットおよび空気調和装置に関する。
【背景技術】
【０００２】
冷凍サイクルには、冷媒の熱を放出させる放熱器や、冷媒に対して熱を与える加熱器等が備えられている。冷凍サイクルを循環する冷媒は、例えば、冷房運転サイクルにおいては室内の空気との間で熱交換を行って熱を得ており、暖房運転サイクルにおいては屋外の空気との間で熱交換を行って熱を得ている。
【０００３】
以下に示す特許文献１（特開平８−２１０７２０号公報）に記載の空気調和機の冷凍サイクルによると、上述のような室内の空気や屋外の空気から熱を得るだけでなく、別個に冷媒加熱装置によって冷媒が熱を得るシステムが提案されている。この冷媒加熱装置では、冷媒の流れる熱交換器をバーナで加熱させることにより、熱交換器内部を流れる冷媒に熱を与えている。このように、この空気調和機では冷媒加熱装置を採用しているため、冷媒が熱を必要とする場合において、室内や屋外の気温等の制約を受けることなく、冷媒を加熱することを可能にしている。
【発明の概要】
【発明が解決しようとする課題】
【０００４】
上述のような冷媒加熱装置として、バーナ等の火を用いる方式の加熱ではなく、電気的な方式として電磁誘導加熱方式を採用することもできる。例えば、磁性体材料を含む冷媒配管の周りに電磁誘導コイルを巻き、この電磁誘導加熱コイルに対して電流を流すことで生じた磁束に起因して冷媒配管を発熱させることができる。そして、この冷媒配管における発熱を用いて、冷媒を加熱することができる。
【０００５】
しかし、冷媒配管を電磁誘導によって加熱する場合に、冷媒配管以外の部分においても磁界が生じてしまう。これに対して、このように外部に生じた磁界を導くような部材を配置することも考えられるが、そのような部材に局所的な渦電流が生じてしまうと局所的な発熱が生じてしまう。
【０００６】
本発明は上述した点に鑑みてなされたものであり、本発明の課題は、冷媒配管を電磁誘導によって加熱する場合であっても局所的な発熱を抑えつつ周囲への磁界の漏れ出しを抑えることが可能な電磁誘導加熱ユニットおよび空気調和装置を提供することにある。
【課題を解決するための手段】
【０００７】
第１発明に係る電磁誘導加熱ユニットは、冷媒配管および／または冷媒配管中を流れる冷媒と熱的接触をする部材を加熱する電磁誘導加熱ユニットであって、コイルと外部部材とを備えている。コイルは、冷媒配管の近傍に配置されている。外部部材は、コイルの冷媒配管側である内側とは反対側の外側に配置され、冷媒配管を周方向に一周しており、磁性体を含んでいる。なお、ここでの電磁誘導加熱ユニットによる加熱としては、例えば、冷媒配管と熱的接触をしている発熱部材を電磁誘導加熱する場合、冷媒配管中を流れる冷媒と熱的接触をしている発熱部材を電磁誘導加熱する場合、および、冷媒配管の少なくとも一部を構成する発熱部材を電磁誘導加熱する場合、が少なくとも含まれる。
【０００８】
電磁誘導を生じさせるためにコイルに電流を流すと、コイルに対して冷媒配管側とは反対側の位置にも磁界が生じる。この場合に、電磁誘導加熱ユニットの周囲に磁性体材料が存在すると、意図しない発熱を生じさせてしまうおそれがある。
【０００９】
これに対して、この電磁誘導加熱ユニットでは、コイルに対して冷媒配管側とは反対側の位置に磁性体を含んだ外部部材を配置している。このため、冷媒配管以外の部分で生じる磁束は、この外部部材を通過しやすくなる。さらに、この外部部材は、冷媒配管を周方向に一周しているため、外部部材の外側に漏れ出す磁界を低減させることができる。そして、外部部材は、周方向に連続しているため、局所的な渦電流が生じにくく、局所的な発熱を抑えることが可能になる。これにより、外部部材の局所的な発熱を抑えつつ、磁界の漏れ出しを低減させることが可能になる。
【００１０】
第２発明の電磁誘導加熱ユニットは、第１発明の電磁誘導加熱ユニットにおいて、コイルは、冷媒配管の少なくとも一部の回りを取り巻いている。
【００１１】
この電磁誘導加熱ユニットでは、コイルに電流を流すことで生じる磁束の一部を、冷媒配管が伸びている方向に沿わせることができる。このため、冷媒配管に含まれている磁性体の長手方向と冷媒配管の軸方向とが略同一である場合に、電磁誘導による加熱効率を向上させることができる。
【００１２】
第３発明の電磁誘導加熱ユニットは、第１発明または第２発明の電磁誘導加熱ユニットにおいて、外部部材は、周方向の少なくとも１部に溶接による接続部分を有している。
【００１３】
この電磁誘導加熱ユニットでは、外部部材の周方向の一部の接続を、溶接によって行っているため、外部部材の外縁同士の局所的な接触部分が存在しにくい。このため、電磁誘導のためにコイルに電流を流したとしても、局所的な接触部分に発生する発熱が生じにくい。これにより、外部部材の周方向の一部を繋ぐことで冷媒配管の周りを一周させている場合であっても、局所的な発熱を抑えることができる。
【００１４】
第４発明の電磁誘導加熱ユニットは、第１発明から第３発明のいずれかの電磁誘導加熱ユニットにおいて、少なくともコイルの外側であって外部部材の内側に配置された部分を有しており、磁性体を含んでいる磁性体部をさらに備えている。
【００１５】
この電磁誘導加熱ユニットでは、外部部材内だけでなく磁性体部内にも通過させるように誘導される。これにより、磁界の漏れを効果的に抑えることが可能になる。
【００１６】
第５発明の電磁誘導加熱ユニットは、第４発明の電磁誘導加熱ユニットにおいて、磁性体部は、フェライトを含んでいる。
【００１７】
この電磁誘導加熱ユニットでは、電磁誘導加熱のためにコイルに電流を流した際に周囲へ漏れだそうとする磁界は、効率的にフェライトに誘導される。そして、フェライトは電気抵抗が小さいために、内部を電流が流れても発熱しにくい。これにより、外部への磁界の漏れを抑えつつ、周辺部材の発熱を抑えて機器の信頼性を向上させることができる。
【００１８】
第６発明の電磁誘導加熱ユニットは、第４発明または第５発明の電磁誘導加熱ユニットにおいて、外部部材と、磁性体部とは、冷媒配管の延びる方向に対して垂直な面上において冷媒配管を外側から見た場合に、互いに重なる位置に配置されている部分を有している。
【００１９】
この電磁誘導加熱ユニットでは、電磁誘導加熱のためにコイルに電流を流した際に周囲へ漏れだそうとする磁界は、外部部材内だけでなく磁性体部内にも通過させるように誘導される。これにより、二重の磁界誘導部材によって効果的に抑えることが可能になる。
【００２０】
第７発明の電磁誘導加熱ユニットは、第４発明から第６発明のいずれかの電磁誘導加熱ユニットにおいて、冷媒配管の延びる方向において、外部部材の両端部は、磁性体部の両端部よりも内側に位置している。
【００２１】
この電磁誘導加熱ユニットでは、コイルに対して冷媒配管側とは反対側に生じる磁界は、外部部材に到達する前に磁性体部に捕らえられやすくなる。このため、磁性体部がより効率的に磁界を導くことができるようになる。これにより、磁性体部と外部部材とによる二重の磁界漏れ防止効果をより向上させることが可能になる。
【００２２】
第８発明の電磁誘導加熱ユニットは、第７発明の電磁誘導加熱ユニットにおいて、磁性体部の材質は、外部部材よりも磁束を集めやすい材質である。
【００２３】
この電磁誘導加熱ユニットでは、コイルに対して冷媒配管側とは反対側に生じる磁界は、外部部材よりも磁束を集めやすい磁性体部に導かれるようになる。これにより、磁性体部による磁束漏れの低減効果が大きいため、周囲への磁界漏れを抑えるための外部部材の負担を抑えることができる。これにより、外部部材の外側へ漏れ出す磁界をより小さく抑えることが可能になる。
【００２４】
第９発明の電磁誘導加熱ユニットは、第５発明から第８発明のいずれかの電磁誘導加熱ユニットにおいて、磁性体部と外部部材とは、直接接触する部分が無いように位置決めされている。
【００２５】
この電磁誘導加熱ユニットでは、磁性体部と外部部材とが接触しないように配置されているため、局所的な接触部分が存在しない。このため、電磁誘導のためにコイルに電流を流したとしても、磁束の集中が生じにくい。これにより、磁束の集中に起因する部分的な温度上昇を抑えることができる。
【００２６】
第１０発明の空気調和装置は、請求項１から９のいずれか１項に記載の電磁誘導加熱ユニットと、冷媒配管に冷媒を流す部分を含む冷凍サイクルと、を備えている。
【００２７】
この空気調和装置では、空気調和装置において電磁誘導加熱を行う場合であっても、磁界の漏れ出しを低減させることが可能になる。
【００２８】
第１１発明の空気調和装置は、第１０発明の空気調和装置において、電磁誘導加熱ユニットは、外部部材に対して固定され、外部部材の外側に向けて延びた部分を有している突出部材をさらに含んでいる。外部部材の外側に配置され、突出部材と当接した状態で少なくとも電磁誘導加熱ユニットの落下を留める被当接部材をさらに備えている。突出部材と被当接部材とは、電磁誘導加熱ユニットの落下を留めている状態で接し、電磁誘導加熱ユニットが落下し始める前の状態では接する部分が無いように配置されている。
【００２９】
この空気調和装置では、電磁誘導加熱ユニットの落下を途中で留めることができる。
【００３０】
第１２発明の空気調和装置は、第１０発明の空気調和装置において、電磁誘導加熱ユニットは、外部部材に対して固定され、外部部材の外側に向けて延びた部分を有している突出部材をさらに含んでいる。外部部材の外側に配置され、突出部材と当接した状態で少なくとも電磁誘導加熱ユニットの回転を防止する被当接部材をさらに備えている。突出部材と被当接部材とは、電磁誘導加熱ユニットの回転を留めている状態で接し、電磁誘導加熱ユニットが回転し始める前の状態では接する部分が無いように配置されている。
【００３１】
この空気調和装置では、電磁誘導加熱ユニットの回転を途中で留めることができる。
【００３２】
第１３発明の空気調和装置は、第１０発明の空気調和装置において、電磁誘導加熱ユニットは、外部部材に対して固定され、外部部材の外側に向けて延びた部分を有している突出部材をさらに含んでいる。外部部材の外側に配置され、突出部材と当接した状態で少なくとも電磁誘導加熱ユニットの落下を防止する被当接落下防止部材と、外部部材の外側に配置され、突出部材と当接した状態で少なくとも電磁誘導加熱ユニットの回転を防止する被当接回転防止部材と、をさらに備えている。突出部材と被当接落下防止部材とは、電磁誘導加熱ユニットの落下を留めている状態で接し、電磁誘導加熱ユニットが落下し始める前の状態では接する部分が無いように配置されている。突出部材と被当接回転防止部材とは、電磁誘導加熱ユニットの回転を留めている状態で接し、電磁誘導加熱ユニットが回転し始める前の状態では接する部分が無いように配置されている。
【００３３】
この空気調和装置では、電磁誘導加熱ユニットの落下および回転を途中で留めるために電磁誘導加熱ユニットに必要な部材を１つにまとめることが可能になる。
【００３４】
第１４発明の空気調和装置は、第１１発明から第１３発明のいずれかの空気調和装置であって、電磁誘導加熱ユニットは、冷媒配管の相対位置を定めるために冷媒配管の外周から径方向内側に力を作用させる部分を有している固定部材をさらに備えている。固定部材は、冷媒配管と熱膨張係数が異なっている。コイルに電力が供給されて生じる磁界によって冷媒配管は熱膨張する。
【００３５】
冷媒配管が電磁誘導加熱によって急激な熱膨張が行われたり温度低下によって縮小したりする場合には、この冷媒配管と熱膨張係数が異なっている固定部材と冷媒配管との固定状態を維持できなくなるおそれがある。そうすると、固定状態が維持できずに外部部材が落下したり回転したりする可能性がある。
【００３６】
これに対して、この空気調和装置では、固定状態を維持することができずに電磁誘導加熱ユニットが落下したり回転したりしても、電磁誘導加熱ユニットの落下および回転を所定の範囲内で留めることが可能になる。
【００３７】
なお、冷凍サイクルの運転によって冷媒配管が熱膨張を行ったり、振動が生じたりして、回転や落下が生じやすくなる場合であっても、回転や落下を途中で留めさせやすくなる。
【発明の効果】
【００３８】
第１発明の電磁誘導加熱ユニットでは、外部部材の局所的な発熱を抑えつつ、磁界の漏れ出しを低減させることが可能になる。
【００３９】
第２発明の電磁誘導加熱ユニットでは、冷媒配管に含まれている磁性体の長手方向と冷媒配管の軸方向とが略同一である場合に、電磁誘導による加熱効率を向上させることができる。
【００４０】
第３発明の電磁誘導加熱ユニットでは、外部部材の周方向の一部を繋ぐことで冷媒配管の周りを一周させている場合であっても、局所的な発熱を抑えることができる。
【００４１】
第４発明の電磁誘導加熱ユニットでは、磁界の漏れを効果的に抑えることが可能になる。
【００４２】
第５発明の電磁誘導加熱ユニットでは、外部への磁界の漏れを抑えつつ、周辺部材の発熱を抑えて機器の信頼性を向上させることができる。
【００４３】
第６発明の電磁誘導加熱ユニットでは、二重の磁界誘導部材によって効果的に抑えることが可能になる。
【００４４】
第７発明の電磁誘導加熱ユニットでは、磁性体部と外部部材とによる二重の磁界漏れ防止効果をより向上させることが可能になる。
【００４５】
第８発明の電磁誘導加熱ユニットでは、外部部材の外側へ漏れ出す磁界をより小さく抑えることが可能になる。
【００４６】
第９発明の電磁誘導加熱ユニットでは、磁束の集中に起因する部分的な温度上昇を抑えることができる。
【００４７】
第１０発明の空気調和装置では、磁界の漏れ出しを低減させることが可能になる。
【００４８】
第１１発明の空気調和装置では、電磁誘導加熱ユニットの落下を途中で留めることができる。
【００４９】
第１２発明の空気調和装置では、電磁誘導加熱ユニットの回転を途中で留めることができる。
【００５０】
第１３発明の空気調和装置では、電磁誘導加熱ユニットの落下および回転を途中で留めるために電磁誘導加熱ユニットに必要な部材を１つにまとめることが可能になる。
【００５１】
第１４発明の空気調和装置では、電磁誘導加熱ユニットの落下および回転を所定の範囲内で留めることが可能になる。
【図面の簡単な説明】
【００５２】
【図１】本発明の一実施形態にかかる空気調和装置の冷媒回路図である。
【図２】室外機の正面側を含む外観斜視図である。
【図３】室外機の内部配置構成斜視図である。
【図４】室外機の内部配置構成の背面側を含む外観斜視図である。
【図５】室外機の機械室の内部構造を示す全体前方斜視図である。
【図６】室外機の機械室の内部構造を示す斜視図である。
【図７】室外機の底板と室外熱交換器との斜視図である。
【図８】電磁誘導加熱ユニットの配置関係についての上面図である。
【図９】アキューム管に取り付けられた電磁誘導加熱ユニットの概略斜視図である。
【図１０】電磁誘導加熱ユニットから遮蔽カバーを取り除いた状態の外観斜視図である。
【図１１】アキューム管に取り付けられた電磁誘導加熱ユニットの断面図である。
【図１２】サーミスタおよびヒューズの取付状態を示す図である。
【図１３】電磁誘導加熱ユニットの周囲に磁束が生じている状態の説明図である。
【図１４】第１フェライトケースの概略斜視図である。
【図１５】第１フェライトケースの上方側の螺着部近傍の図である。
【図１６】第１フェライトケースの下方側の螺着部近傍の図である。
【図１７】遮蔽カバーの上面図である。
【図１８】遮蔽カバーの正面図である。
【図１９】フェライトが遮蔽カバーよりも優先して磁束を導く様子を示す図である。
【図２０】他の実施形態（Ａ）の遮蔽カバーの上面図である。
【図２１】他の実施形態（Ｃ）の冷媒配管の説明図である。
【図２２】他の実施形態（Ｄ）の冷媒配管の説明図である。
【図２３】他の実施形態（Ｅ）のコイルと冷媒配管との配置例を示す図である。
【図２４】他の実施形態（Ｅ）のボビン蓋の配置例を示す図である。
【図２５】他の実施形態（Ｅ）のフェライトケースの配置例を示す図である。
【発明を実施するための形態】
【００５３】
以下、図面を参照しつつ、本発明の一実施形態における電磁誘導加熱ユニット６を備えた空気調和装置１を例に挙げて説明する。
【００５４】
＜１−１＞空気調和装置１
図１に、空気調和装置１の冷媒回路１０を示す冷媒回路図を示す。
【００５５】
空気調和装置１は、熱源側装置としての室外機２と、利用側装置としての室内機４とが冷媒配管によって接続されて、利用側装置が配置された空間の空気調和を行うものであって、圧縮機２１、四路切換弁２２、室外熱交換器２３、室外電動膨張弁２４、アキュームレータ２５、室外ファン２６、室内熱交換器４１、室内ファン４２、ホットガスバイパス弁２７、キャピラリーチューブ２８および電磁誘導加熱ユニット６等を備えている。
【００５６】
圧縮機２１、四路切換弁２２、室外熱交換器２３、室外電動膨張弁２４、アキュームレータ２５、室外ファン２６、ホットガスバイパス弁２７、キャピラリーチューブ２８および電磁誘導加熱ユニット６は、室外機２内に収容されている。室内熱交換器４１および室内ファン４２は、室内機４内に収容されている。
【００５７】
冷媒回路１０は、吐出管Ａ、室内側ガス管Ｂ、室内側液管Ｃ、室外側液管Ｄ、室外側ガス管Ｅ、アキューム管Ｆ、吸入管Ｇ、ホットガスバイパス回路Ｈ、分岐配管Ｋおよび合流配管Ｊを有している。室内側ガス管Ｂおよび室外側ガス管Ｅは、ガス状態の冷媒が多く通過するものではあるが、通過する冷媒をガス冷媒に限定しているものではない。室内側液管Ｃおよび室外側液管Ｄは、液状態の冷媒が多く通過するものではあるが、通過する冷媒を液冷媒に限定しているものではない。
【００５８】
吐出管Ａは、圧縮機２１と四路切換弁２２とを接続している。吐出管Ａには、通過する冷媒温度を検知する吐出温度センサ２９ｄが設けられている。なお、圧縮機２１には、電力供給部２１ｅが電力の供給を行う。この電力供給部２１ｅの供給電力量は、圧縮機電力検知部２９ｆが検知している。
【００５９】
室内側ガス管Ｂは、四路切換弁２２と室内熱交換器４１とを接続している。この室内側ガス管Ｂの途中には、通過する冷媒の圧力を検知する圧力センサ２９ａが設けられている。
【００６０】
室内側液管Ｃは、室内熱交換器４１と室外電動膨張弁２４とを接続している。
【００６１】
室外側液管Ｄは、室外電動膨張弁２４と室外熱交換器２３とを接続している。
【００６２】
室外側ガス管Ｅは、室外熱交換器２３と四路切換弁２２とを接続している。
【００６３】
アキューム管Ｆは、四路切換弁２２とアキュームレータ２５とを接続しており、室外機２の設置状態で鉛直方向に伸びている。アキューム管Ｆの一部に対して、電磁誘導加熱ユニット６が取り付けられている。アキューム管Ｆのうち、少なくとも後述するコイル６８によって周囲を覆われている発熱部分は、内側に冷媒を流している銅管Ｆ１の周囲を覆うように設けられた磁性体管Ｆ２によって構成されている（図１１参照）。この磁性体管Ｆ２は、ＳＵＳ（Stainless Used Steel：ステンレス鋼）４３０によって構成されている。このＳＵＳ４３０は、強磁性体材料であって、磁界に置かれると渦電流を生じつつ、自己の電気抵抗によって生ずるジュール熱により発熱する。冷媒回路１０を構成する配管のうち磁性体管Ｆ２以外の部分は、銅管で構成されている。なお、上記銅管の周囲を覆う管の材質はＳＵＳ４３０に限定されるものではなく、例えば、鉄、銅、アルミ、クロム、ニッケル等の導体およびこれらの群から選ばれる少なくとも２種以上の金属を含有する合金等とすることができる。また、磁性体材料としては、例えば、フェライト系、マルテンサイト系、オーステナイト系の３種およびこれらの種類を組み合わせたものが例として挙げられるが、強磁性体であって電気抵抗が比較的高いものであり使用温度範囲よりもキュリー温度が高い材料が好ましい。なお、ここでのアキューム管Ｆは、より多くの電力が必要とされるが、磁性体および磁性体を含有する材料を備えていなくてもよく、誘導加熱が行われる対象となる材質を含有するものであってもよい。なお、磁性体材料は、例えば、アキューム管Ｆのすべてを構成していてもよいし、アキューム管Ｆの内側表面のみに形成されていてもよく、アキューム管Ｆ配管を構成する材料中に含有されることで存在していてもよい。このように電磁誘導加熱を行うことで、アキューム管Ｆを電磁誘導によって加熱させることができ、アキュームレータ２５を介して圧縮機２１に吸入される冷媒を暖めることができる。これにより、空気調和装置１の暖房能力を向上させることができる。また、例えば、暖房運転の起動時においては、圧縮機２１が十分に暖まっていない場合であっても、電磁誘導加熱ユニット６による迅速な加熱によって起動時の能力不足を補うことができる。さらに、四路切換弁２２を冷房運転用の状態に切り換えて、室外熱交換器２３等に付着した霜を除去するデフロスト運転を行う場合には、電磁誘導加熱ユニット６がアキューム管Ｆを迅速に加熱することで、圧縮機２１は迅速に暖められた冷媒を対象として圧縮することができる。このため、圧縮機２１から吐出するホットガスの温度を迅速に上げることができる。これにより、デフロスト運転によって霜を解凍させるのに必要とされる時間を短縮化させることができる。これにより、暖房運転中に適時デフロスト運転を行うことが必要となる場合であっても、できるだけ早く暖房運転に復帰させることができ、ユーザの快適性を向上させることができる。
【００６４】
吸入管Ｇは、アキュームレータ２５と圧縮機２１の吸入側とを接続している。
【００６５】
ホットガスバイパス回路Ｈは、吐出管Ａの途中に設けられた分岐点Ａ１と室外側液管Ｄの途中に設けられた分岐点Ｄ１とを接続している。ホットガスバイパス回路Ｈは、途中に冷媒の通過を許容する状態と許容しない状態とを切換可能なホットガスバイバス弁２７が配置されている。なお、ホットガスバイパス回路Ｈは、ホットガスバイバス弁２７と分岐点Ｄ１との間に、通過する冷媒圧力を下げるキャピラリーチューブ２８が設けられている。このキャピラリーチューブ２８は、暖房運転時の室外電動膨張弁２４による冷媒圧力の低下後の圧力に近づけることができるため、ホットガスバイパス回路Ｈを通じた室外側液管Ｄへのホットガスの供給による室外側液管Ｄの冷媒圧力上昇を抑えることができる。
【００６６】
分岐配管Ｋは、室外熱交換器２３の一部を構成しており、熱交換を行うための有効表面積を増大させるために、室外熱交換器２３のガス側出入口２３ｅから伸びる冷媒配管が後述する分岐合流点２３ｋで複数本に分岐した配管である。この分岐配管Ｋは、分岐合流点２３ｋから合流分岐点２３ｊまでそれぞれ独立して延びている第１分岐配管Ｋ１、第２分岐配管Ｋ２および第３分岐配管Ｋ３を有しており、これらの各分岐配管Ｋ１、Ｋ２、Ｋ３は合流分岐点２３ｊで合流している。なお、合流配管Ｊ側から見ると、合流分岐点２３ｊで分岐して分岐配管Ｋが延びている。
【００６７】
合流配管Ｊは、室外熱交換器２３の一部を構成しており、合流分岐点２３ｊから室外熱交換器２３の液側出入口２３ｄまで伸びている配管である。合流配管Ｊは、冷房運転時に室外熱交換器２３から流れ出る冷媒の過冷却度を統一させることができるとともに、暖房運転時に室外熱交換器２３の下端近傍に着霜した氷を解凍させることができる。合流配管Ｊは、各分岐配管Ｋ１、Ｋ２、Ｋ３の断面積の略３倍の断面積を有しており、通過冷媒量が、各分岐配管Ｋ１、Ｋ２、Ｋ３の略３倍になっている。
【００６８】
四路切換弁２２は、冷房運転サイクルと暖房運転サイクルとを切換可能である。図１では、暖房運転を行う際の接続状態を実線で示し、冷房運転を行う際の接続状態を点線で示している。暖房運転時には、室内熱交換器４１が冷媒の冷却器として、室外熱交換器２３が冷媒の加熱器として機能する。冷房運転時には、室外熱交換器２３が冷媒の冷却器として、室内熱交換器４１が冷媒の加熱器として機能する。
【００６９】
室外熱交換器２３は、ガス側出入口２３ｅ、液側出入口２３ｄ、分岐合流点２３ｋ、合流分岐点２３ｊ、分岐配管Ｋ、合流配管Ｊおよび熱交フィン２３ｚを有している。ガス側出入口２３ｅは、室外熱交換器２３の室外側ガス管Ｅ側の端部に位置しており、室外側ガス管Ｅと接続される。液側出入口２３ｄは、室外熱交換器２３の室外側液管Ｄ側の端部に位置しており、室外側液管Ｄと接続される。分岐合流点２３ｋは、ガス側出入口２３ｅから伸びる配管を分岐させており、流れる冷媒の方向に応じて冷媒を分岐もしくは合流させることができる。分岐配管Ｋは、分岐合流点２３ｋにおける各分岐部分から複数本伸びている。合流分岐点２３ｊは、分岐配管Ｋを合流させており、流れる冷媒の方向に応じて冷媒を合流もしくは分岐させることができる。合流配管Ｊは、合流分岐点２３ｊから液側出入口２３ｄまで伸びている。熱交フィン２３ｚは、板状のアルミフィンが板厚方向に複数枚並んで、所定の間隔で配置されて構成されている。分岐配管Ｋおよび合流配管Ｊは、いずれも、熱交フィン２３ｚを共通の貫通対象としている。具体的には、分岐配管Ｋおよび合流配管Ｊは、共通の熱交フィン２３ｚの異なる部分で板圧方向に貫通して配置されている。この室外熱交換器２３に対して、室外ファン２６の空気流れ方向風下側には、室外の気温を検知する室外気温センサ２９ｂが設けられている。また、室外熱交換器２３には、分岐配管空気調和装置を流れる冷媒温度を検知する室外熱交温度センサ２９ｃが設けられている。
【００７０】
室内機４内には、室内温度を検知する室内温度センサ４３が設けられている。また、室内熱交換器４１には、室外伝導膨張弁２４が接続されている室内側液管Ｃ側の冷媒温度を検知する室内熱交温度センサ４４が設けられている。
【００７１】
室外機２内に配置される機器を制御する室外制御部１２と、室内機４内に配置されている機器を制御する室内制御部１３とが、通信線１１ａによって接続されることで、制御部１１を構成している。この制御部１１は、空気調和装置１を対象とした種々の制御を行う。
【００７２】
また、室外制御部１２には、各種制御を行う際に経過時間をカウントするタイマ９５が設けられている。
【００７３】
なお、制御部１１には、ユーザからの設定入力を受け付けるコントローラ９０が接続されている。
【００７４】
＜１−２＞室外機２
図２に、室外機２の正面側の外観斜視図を示す。図３に、室外熱交換器２３および室外ファン２６との位置関係についての斜視図を示す。図４に、室外熱交換器２３の背面側の斜視図を示す。
【００７５】
室外機２は、天板２ａ、底板２ｂ、フロントパネル２ｃ、左側面パネル２ｄ、右側面パネル２ｆおよび背面パネル２ｅによって構成される略直方体形状の室外機ケーシングによって外表面を構成している。
【００７６】
室外機２は、室外熱交換器２３および室外ファン２６等が配置されており左側面パネル２ｄ側である送風機室と、圧縮機２１や電磁誘導加熱ユニット６が配置されており右側面パネル２ｆ側である機械室と、に仕切り板２ｈを介して区切られている。また、室外機２は、底板２ｂに対して螺着されることで固定され、室外機２の最下端部を右側と左側において構成する室外機支持台２ｇを有している。なお、電磁誘導加熱ユニット６は、機械室のうちの左側面パネル２ｄおよび天板２ａの近傍である上方の位置に配置されている。ここで、上述した室外熱交換器２３の熱交フィン２３ｚは、略水平方向に板厚方向が向くようにしつつ、板厚方向に複数並んで配置されている。合流配管Ｊは、室外熱交換器２３の熱交フィン２３ｚのうち最も下の部分において、熱交フィン２３ｚを厚み方向に貫通することで配置されている。ホットガスバイパス回路Ｈは、室外ファン２６および室外熱交換器２３の下方を沿うように配置されている。
【００７７】
図５に、室外機２の機械室の内部構造を示す全体前方斜視図を示す。図６に、室外機２の機械室の内部構造を示す斜視図を示す。図７に、室外熱交換器２３と底板２ｂとの配置関係についての斜視図を示す。図８に、電磁誘導加熱ユニット６の配置関係についての上面図を示す。
【００７８】
室外機２の仕切り板２ｈは、室外熱交換器２３および室外ファン２６等が配置されている送風機室と、電磁誘導加熱ユニット６、圧縮機２１およびアキュームレータ２５等が配置されている機械室と、を区切るように前方から後方に向けて上端から下端に掛けて仕切っている。圧縮機２１およびアキュームレータ２５は、室外機２の機械室の下方の空間に配置されている。そして、電磁誘導加熱ユニット６、四路切換弁２２および室外制御部１２は、室外機２の機械室の上方の空間であって、圧縮機２１やアキュームレータ２５等の上の空間に配置されている。室外機２を構成する機能要素であって機械室に配置されている圧縮機２１、四路切換弁２２、室外熱交換器２３、室外電動膨張弁２４、アキュームレータ２５、ホットガスバイパス弁２７、キャピラリーチューブ２８および電磁誘導加熱ユニット６は、図１において示した冷媒回路１０による冷凍サイクルを実行するように、吐出管Ａ、室内側ガス管Ｂ、室外側液管Ｄ、室外側ガス管Ｅ、アキューム管Ｆ、ホットガスバイパス回路Ｈ等を介して接続されている。ここで、ホットガスバイパス回路Ｈは、後述するように、第１バイパス部分Ｈ１〜第９バイパス部分Ｈ９の、９つの部分が繋がって構成されており、ホットガスバイパス回路Ｈに冷媒が流れる際は、第１バイパス部分Ｈ１から順番に第９バイパス部分Ｈ９に向かう方向に流れる。
【００７９】
＜１−３＞電磁誘導加熱ユニット６
図９に、アキューム管Ｆに取り付けられた電磁誘導加熱ユニット６概略斜視図を示す。図１０に、電磁誘導加熱ユニット６から遮蔽カバー７５を取り除いた状態の外観斜視図を示す。図１１に、アキューム管Ｆに取り付けられた電磁誘導加熱ユニット６の断面図を示す。
【００８０】
電磁誘導加熱ユニット６は、アキューム管Ｆのうち発熱部分である磁性体管Ｆ２を径方向外側から覆うように配置されており、電磁誘導加熱によって磁性体管Ｆ２を発熱させる。このアキューム管Ｆの発熱部分は、内側の銅管Ｆ１と外側の磁性体管Ｆ２とを有する二重管構造となっている。
【００８１】
電磁誘導加熱ユニット６は、第１六角ナット６１、第２六角ナット６６、第１ボビン蓋６３、第２ボビン蓋６４、ボビン本体６５、第１フェライトケース７１、第２フェライトケース７２、第３フェライトケース７３、第４フェライトケース７４、第１フェライト９８、第２フェライト９９、コイル６８、遮蔽カバー７５、サーミスタ１４およびヒューズ１５等を備えている。
【００８２】
第１六角ナット６１および第２六角ナット６６は、樹脂製であって、図示しないＣ型リングを用いて、電磁誘導加熱ユニット６とアキューム管Ｆとの固定状態を安定させる。第１ボビン蓋６３および第２ボビン蓋６４は、樹脂製であって、アキューム管Ｆをそれぞれ上端位置および下端位置において径方向外側から覆っている。この第１ボビン蓋６３および第２ボビン蓋６４は、後述する第１〜第４フェライトケース７１〜７４をネジ６９を介して螺着させるための、ネジ６９用の螺着孔を４つ有している。さらに、第２ボビン蓋６４は、サーミスタ１４を差し込んで、磁性体管Ｆ２の外表面に取り付けるための電磁誘導サーミスタ差し込み開口６４ｆを有している。また、第２ボビン蓋６４は、図１３に示すヒューズ１５を差し込んで、磁性体管Ｆ２の外表面に取り付けるためのヒューズ差し込み開口６４ｅを有している。サーミスタ１４は、検知温度を信号にして制御部１１まで伝える。ヒューズ１５は、検知結果を信号にして制御部１１まで伝える。ヒューズ１５から所定制限温度を超えた温度検知の知らせを受けた制御部１１は、コイル６８への電力供給を停止させる制御を行って、機器の熱損傷を回避させる。ボビン本体６５は、樹脂製であって、コイル６８が巻き付けられる。コイル６８は、ボビン本体６５の外側においてアキューム管Ｆの延びる方向を軸方向として螺旋状に巻き付けられている。コイル６８は、図示しない制御用プリント基板１８に接続されており、高周波電流の供給を受ける。制御用プリント基板は、制御部１１によって出力制御される。図１２に示すように、ボビン本体６５と第２ボビン蓋６４とが勘合している状態で、サーミスタ１４およびヒューズ１５が取り付けられる。ここで、サーミスタ１４の取り付け状態では、板バネ１６によって磁性体管Ｆ２の径方向内側に押されることで、磁性体管Ｆ２の外表面との良好な圧接状態を維持している。また、ヒューズ１５の取り付け状態も同様に、板バネ１７によって磁性体管Ｆ２の径方向内側に押されることで、磁性体管Ｆ２の外表面との良好な圧接状態を維持している。このように、サーミスタ１４およびヒューズ１５がアキューム管Ｆの外表面との密着性を良好に保たれているために、応答性を向上させ、電磁誘導加熱による急激な温度変化も迅速に検出できるようにしている。第１フェライトケース７１は、第１ボビン蓋６３と第２ボビン蓋６４とをアキューム管Ｆの延びている方向から挟み込み、ネジ６９によって螺着固定されている。第１フェライトケース７１〜第４フェライトケース７４は、透磁率の高い素材であるフェライトによって構成された第１フェライト９８および第２フェライト９９を収容している。第１フェライト９８および第２フェライト９９は、図１３の磁束説明図において示すように、コイル６８によって生じる磁界を取りこんで磁束の通り道を形成することで、磁界が外部に漏れ出しにくいようにしている。遮蔽カバー７５は、電磁誘導加熱ユニット６の最外周部分に配置されており、第１フェライト９８および第２フェライト９９だけでは呼び込みきれない磁束を集める。この遮蔽カバー７５の外側にはほとんど漏れ磁束が生じず、磁束の発生場所について自決することができている。
【００８３】
（フェライトケースおよびフェライト）
以下、フェライトケースの詳細を説明する。
【００８４】
図１４に、第１フェライト９８および第２フェライト９９が収容されつつ固定された第１フェライトケース７１の概略斜視図を示す。図１５に、第１フェライトケース７１の上方側の螺着部近傍の構造を示す。図１６に、第１フェライトケース７１の下方側の螺着部近傍の構造を示す。なお、第１〜第４フェライトケース７１〜７４は、いずれも同様の形状を有している。
【００８５】
第１フェライトケース７１は、樹脂製であって、第１ボビン蓋６３と第２ボビン蓋６４とをアキューム管Ｆの延びている方向から挟み込んで固定する機能と、第１フェライト９８および第２フェライト９９を収容して保持する機能を有している。
【００８６】
第１フェライトケース７１は、底面部７１ｊ、側面部７１ｈ、第１蓋螺着部７１ａ、第１蓋螺着孔７１ｂ、第２蓋螺着部７１ｆ、第２蓋螺着孔７１ｇ、遮蔽カバー螺着部７１ｃおよび遮蔽カバー螺着孔７１ｄを有している。
【００８７】
底面部７１ｊは、第１フェライトケース７１の底面を構成している。この底面部７１ｊには、後述するように、第１フェライト９８および第２フェライト９９が接着される。底面部７１ｊは、電磁誘導加熱ユニット６に固定された状態では、面が径方向を向く位置に設けられ、長手方向がアキューム管Ｆの伸びる方向に沿うように設けられる。この底面部７１ｊは、第１ボビン蓋６３および第２ボビン蓋６４の径方向の外縁のうち４つの対称的に設けられた略直線形状の辺のいずれかに取り付けられる。これにより、底面部７１ｊの背面側と、第１ボビン蓋６３および第２ボビン蓋６４のそれぞれの略直線形状の辺とが当接した状態で固定される。これにより、第１フェライトケース７１は、周方向への移動が規制された構造となっている。
【００８８】
側面部７１ｈは、底面部７１ｊの長手方向と直交する方向の両端それぞれから、底面部７１ｊから離れる方向に伸びている面を有している。
【００８９】
第１蓋螺着部７１ａは、第１フェライトケース７１と第１ボビン蓋６３とを螺着させるために設けられており、２つの側面部７１ｈに挟まれる径方向に広がる仮想空間からはずれた位置に設けられている。これにより、第１フェライト９８を磁性体管Ｆ２の近傍まで配置させることができるようになっており、磁力の漏れを低減させることができている。
【００９０】
第２蓋螺着部７１ｆは、第１フェライトケース７１と第２ボビン蓋６４とを螺着させるために設けられており、２つの側面部７１ｈに挟まれる径方向に広がる仮想空間から、第１蓋螺着部７１ａとは反対側にはずれた位置に設けられている。これにより、第１フェライト９８を磁性体管Ｆ２の近傍まで配置させることができるようになっており、磁力の漏れを低減させることができている。なお、第１蓋螺着部７１ａと第２蓋螺着部７１ｆとが、２つの側面部７１ｈに挟まれており径方向に広がる仮想空間に対して、一方側と、他方側とに配置されているため、単に磁力の漏れを低減させるだけでなく、第１フェライトケース７１と第１ボビン蓋６３および第２ボビン蓋６４との固定をより強固にしている。
【００９１】
第２蓋螺着孔７１ｇは、第１フェライトケース７１と第２ボビン蓋６４とを互いに螺着させて、固定させる。具体的には、上述の第１蓋螺着孔７１ｂと同様に、金属製のネジ６９によって、第１フェライトケース７１の第２蓋螺着孔７１ｇと、第２ボビン蓋６４のネジ６９用の螺着孔（図示せず）と、を合わせて螺着することで固定する。
【００９２】
遮蔽カバー螺着部７１ｃは、側面部７１ｈ同士が向き合っている内側とは反対側である外側に向けて膨出して形成されており、上方に２カ所、下方に２カ所設けられている。
【００９３】
遮蔽カバー螺着孔７１ｄは、各遮蔽カバー螺着部７１ｃに設けられている開口であり、図１１に示すように、遮蔽カバー７５が取り付けられた状態で、ネジによってそれぞれ螺着される。これにより、第１フェライトケース７１と遮蔽カバー７５とが固定される。なお、この遮蔽カバー螺着部７１ｃおよび遮蔽カバー螺着孔７１ｄは、第２〜第４フェライトケース７２〜７４についても設けられているが、実際に遮蔽カバー７５が固定されるのはこれらのうち対向して配置されている２つであり、本実施形態では第１フェライトケース７１および第３フェライトケース７３となっている。
【００９４】
なお、各フェライトケースに収容されている第１フェライト９８と第２フェライト９９とは、互いに面部分同士で接触した状態となるように配置されている。
【００９５】
（遮蔽カバー）
以下、遮蔽カバー７５の詳細について説明する。
【００９６】
遮蔽カバー７５は、図１７の上面断面図において示すように、第１ボビン蓋６３および第２ボビン蓋６４に対して第１〜第４フェライトケース７１〜７４が取り付けられた際の平面視外縁形状に沿うように、略８角形状を有しており、磁性体材料を含んだ板金である。
【００９７】
遮蔽カバー７５は、図１７の上面図に示すように、周方向の一端７５ａと他端７５ｂとが、板厚保方向に重なった重複部分７５ｄを有している。この重複部分７５ｄでは、一端７５ａの近傍の面と他端７５ｂ近傍の面とが、アキューム管Ｆの延びる方向の上から下にかけて、互いに面接触された状態で溶接されている。これにより、電磁誘導加熱ユニット６によって磁界を生じさせた場合において、遮蔽カバー７５が漏れ磁束を吸入する場合であっても、遮蔽カバー７５の一部同士が部分的に接触している箇所が無いために、渦電流の局所的な発生を防止することができている。これにより、電磁誘導加熱ユニット６の外側を構成している遮蔽カバー７５の発熱を小さく抑え、ユーザが触れた危険に備えた温度で低く維持することができている。また、遮蔽カバー７５を取り付けていない状態を示す図１０と、遮蔽カバー７５が取り付けられた状態を示す図９とを比較すると分かるように、遮蔽カバー７５は、コイル６８に対するユーザの指等のアクセスを拒むように、コイル６８の周囲を覆っている。なお、ここでは、アキューム管Ｆの延びる方向におけるコイル６８の両端は、遮蔽カバー７５の両端の間に位置するように配置されているため、ユーザによるコイル６８へのアクセスを効果的に防ぐことができている。
【００９８】
また、遮蔽カバー７５の形状および寸法についても、コイル６８に近づこうとするユーザの手を遮る形状を有しており、作業者等がコイルに接触してしまうおそれを低減させることができる。なお、コイル６８の径方向から見た場合に、遮蔽カバー７５に開口や隙間が設けられている場合であっても、当該開口や隙間が、例えばユーザの一般的な指先の断面広さよりも狭い１ｃｍ2以下となるように形成されていてもよい。
【００９９】
また、遮蔽カバー７５は、図１８に示すように、長手方向上端近傍にネジ穴７５ｘ、７５ｙがそれぞれ設けられている。これらのネジ穴は、図９に示すように、第１フェライトケース７１に対して遮蔽カバー７５を固定させる場合に、ネジ７０ａ、７０ｂを通す穴としての機能を有している。
【０１００】
図１９に、フェライト９８、９９に対して遮蔽カバー７５よりも優先して磁束が導かれる様子についての断面図を示す。
【０１０１】
フェライト９８、９９は、板金によって構成されている遮蔽カバー７５よりも透磁率が高いため、漏れだそうとする磁束は、遮蔽カバー７５よりもフェライト９８、９９に導かれやすい。さらに、ここでは、フェライトケースに収容されたフェライト９８、９９は、遮蔽カバー７５よりも内側のコイル６８により近い位置に配置されており、かつ、アキューム管Ｆの長手方向において、遮蔽カバー７５の両端よりもフェライト９８、９９の方が突出するように配置されている。これにより、漏れ出そうとする磁束のほとんどはフェライト９８、９９に導かれ、遮蔽カバー７５が対応処理する漏れ磁束を小さく抑えることができる。これにより、電磁誘導加熱ユニット６の遮蔽カバー７５の外側に生じる漏れ磁束の量を低減させることができている。
【０１０２】
また、第１フェライトケース７１は、樹脂によって形成されているため、遮蔽カバー７５が金属製のネジ７０ａ、７０ｂによって第１フェライトケース７１に螺着されることがあっても、第１フェライト９８および第２フェライト９９と、遮蔽カバー７５と、は直接接触しない。このため、第１フェライト９８および第２フェライト９９と遮蔽カバー７５とが接触しないような配置構造が採用されているため、当然、第１フェライト９８および第２フェライト９９と遮蔽カバー７５との局所的な接触部分が存在しない。このため、電磁誘導のためにコイル６８に電流を流したとしても、第１フェライト９８および第２フェライト９９と遮蔽カバー７５との接触部分が存在することに起因する磁束の集中が生じにくい。これにより、磁束の集中に起因する部分的な温度上昇を抑えることができている。
【０１０３】
また、遮蔽カバー７５の隙間部分以外の位置で遮蔽カバー７５によって径方向外側から覆われている第２〜第４フェライトケース７２〜７４のフェライトは、磁性体を含んだ遮蔽カバー７５と第２〜第４フェライトケース７２〜７４に収容された第１フェライト９８および第２フェライト９９とによって、磁束の漏れ出しを抑える二重構造を採用することができている。これにより、磁束の漏れ出しをより効率的におさえることができている。
【０１０４】
なお、遮蔽カバー７５は、図８に示すように、上面視において室外機２の右側面パネル２ｆの近くに位置している部分は、右側面パネル２ｆと面平行となるようにしつつ、右側面パネル２ｆとの間を確保して配置されている。これにより、遮蔽カバー７５に導かれた磁束が、さらに右側面パネル２ｆにまで導かれてしまったり、右側面パネル２ｆと遮蔽カバー７５との局所的な接触部分に渦電流が発生して局所的な発熱が生じてしまうことを防止している。
【０１０５】
（突起部材）
図５、図６および図９に示すように、電磁誘導加熱ユニット６には、遮蔽カバー７５の外側の上方において溶接された板金である突起部材９３を有している。
【０１０６】
この突起部材９３は、遮蔽カバー７５の外側から、四路切換弁２２の上方の空間であって、アキューム管Ｆと室内側ガス管Ｂとの間の空間まで延びている。そして、この突起部材９３の先端側は、電磁誘導加熱ユニット６が設置された状態では、四路切換弁２２、アキューム管Ｆおよび室内側ガス管Ｂのいずれに対しても接触していない。このため、振動等によって、突起部材９３とその周囲の他の部材とによって異音が生じてしまうことが無いようにしている。そして、何らかの振動やアキューム管Ｆの熱膨張等の変化によって、電磁誘導加熱ユニット６の固定状態が不安定になり、アキューム管Ｆを軸に回転してしまったり、アキューム管Ｆに沿って下方に落下してしまうことが生じる場合がある。
【０１０７】
しかし、この突起部材９３が設けられているため、回転については、突起部材９３がアキューム管Ｆもしくは室内側ガス管Ｂに当接することで、回転が規制される。そして、落下については、突起部材９３が、四路切換弁２２の上方に当接した状態で、電磁誘導加熱ユニット６の落下を留めさせることができる。そして、このように電磁誘導加熱ユニット６の落下が四路切換弁２２の上方によって留められている状態でも、アキューム管Ｆの磁性体管Ｆ２の周囲にはコイル６８が依然として存在することができるようにしている。これにより、電磁誘導加熱ユニット６に多少の落下が生じたとしても、電磁誘導加熱によるアキューム管Ｆの加熱を続行することができるようになっている。
【０１０８】
＜本実施形態の空気調和装置１の特徴＞
上記空気調和装置１の電磁誘導加熱ユニット６では、コイル６８に対してアキューム管Ｆ側とは反対側の位置に磁性体を含んだ遮蔽カバー７５を配置している。このため、アキューム管Ｆ以外の部分で生じる磁束は、この遮蔽カバー７５を通過しやすくなる。さらに、この遮蔽カバー７５は、アキューム管Ｆを周方向に一周しているため、局所的な渦電流が生じにくく、局所的な発熱を抑えることができている。
【０１０９】
また、遮蔽カバー７５とコイル６８との間には、より強力に磁束を集めるフェライト９８、９９が配置されているため、遮蔽カバー７５の漏れ磁束防止のための負担を小さく抑えることができている。このような、二重の磁束漏れ防止構造によって、磁界の漏れ出しを効果的に抑えることができている。
【０１１０】
＜他の実施形態＞
以上、本発明の実施形態について図面に基づいて説明したが、具体的な構成は、これらの実施形態に限られるものではなく、発明の要旨を逸脱しない範囲で変更可能である。
【０１１１】
（Ａ）
上記実施形態では、遮蔽カバー７５の周方向の両端部７５ａ、７５ｂが溶接されている場合について例に挙げて説明した。
【０１１２】
しかし、本発明はこれに限られるものではない。
【０１１３】
図２０に示すように、例えば、上記実施形態の遮蔽カバー７５のような溶接部分を設けることなく、遮蔽カバー１７５のように、一体形成された筒状部材で構成してもよい。この場合であっても、アキューム管Ｆの周方向に遮蔽カバー１７５が連続しており、局所的な渦電流の発生が防止されているため、上記実施形態と同様の作用効果を奏することが可能になる。
【０１１４】
（Ｂ）
上記実施形態では、冷媒回路１０のうち、アキューム管Ｆに対して電磁誘導加熱ユニット６が取り付けられる場合について説明した。
【０１１５】
しかし、本発明はこれに限られるものではない。
【０１１６】
例えば、アキューム管Ｆ以外の他の冷媒配管に設けられていてもよい。この場合には、電磁誘導加熱ユニット６を設ける冷媒配管部分に磁性体管Ｆ２等の磁性体を設ける。
【０１１７】
（Ｃ）
上記実施形態では、アキューム管Ｆは、銅管Ｆ１と磁性体管Ｆ２との二重管として構成されている場合を挙げて説明した。
【０１１８】
しかし、本発明はこれに限られるものではない。
【０１１９】
図２１に示すように、例えば、被加熱部材Ｆ２ａと、２つのストッパーＦ１ａと、がアキューム管Ｆや加熱対象となる冷媒配管の内部に配置されていてもよい。ここで、被加熱部材Ｆ２ａは、磁性体材料を含有しており、上記実施形態における電磁誘導加熱によって発熱を生じる部材である。ストッパーＦ１ａは、銅管Ｆ１の内側二カ所において、冷媒の通過を常時許容するが、被加熱部材Ｆ２ａの通過は許容しない。これにより、被加熱部材Ｆ２ａは、冷媒が流れても移動しない。このため、アキューム管Ｆ等の目的の加熱位置を加熱させることができる。さらに、発熱する被加熱部材Ｆ２ａと冷媒とが直接接触するため、熱伝達効率を向上させることができる。
【０１２０】
（Ｄ）
上記他の実施形態（Ｃ）で説明した被加熱部材Ｆ２ａは、ストッパーＦ１ａを用いることなく配管に対して位置が定まるようにしてもよい。
【０１２１】
図２２に示すように、例えば、銅管Ｆ１に二カ所で曲げ部分ＦＷを設け、当該二カ所の曲げ部分ＦＷの間の銅管Ｆ１の内側に被加熱部材Ｆ２ａを配置させてもよい。このようにしても、冷媒を通過させつつ、被加熱部材Ｆ２ａの移動を抑制させることができる。
【０１２２】
（Ｅ）
上記実施形態では、コイル６８がアキューム管Ｆに対して螺旋状に巻き付けられている場合について説明した。
【０１２３】
しかし、本発明はこれに限られるものではない。
【０１２４】
例えば、図２３に示すように、ボビン本体１６５に巻き付けられたコイル１６８が、アキューム管Ｆに巻き付くことなく、アキューム管Ｆの周囲に配置されていてもよい。ここでは、ボビン本体１６５は、軸方向がアキューム管Ｆの軸方向に対して略垂直となるように配置されている。また、ボビン本体１６５およびコイル１６８は、アキューム管Ｆを挟むように２つに別れて配置されている。
【０１２５】
この場合には、例えば、図２４に示すように、アキューム管Ｆを貫通させている第１ボビン蓋１６３および第２ボビン蓋１６４が、ボビン本体１６５に対して勘合した状態で配置されていてもよい。
【０１２６】
さらに、図２５に示すように、第１ボビン蓋１６３および第２ボビン蓋１６４が、第１フェライトケース１７１および第２フェライトケース１７２によって挟み込まれて固定されていてもよい。図２５では、２つのフェライトケースがアキューム管Ｆを挟み込むように配置されている場合を例にあげたが、上記実施形態と同様に、４方向に配置されていてもよい。また、上記実施形態とどうように、フェライトを収容させていてもよい。
【０１２７】
そして、遮蔽カバー７５は、このようにして固定された電磁誘導加熱ユニット６の最外周部分を覆うように設けられていてもよい。
【０１２８】
＜その他＞
以上、本発明の実施形態について、いくつかの例を挙げて説明したが、本発明はこれらに限られない。例えば、上記記載から当業者が実施可能な範囲で、上述の実施形態の異なる部分を適宜組み合わせて得られる組合せ実施形態も、本発明に含まれる。
【産業上の利用可能性】
【０１２９】
本発明を利用すれば、冷媒配管を電磁誘導によって加熱する場合であっても局所的な発熱を抑えつつ周囲への磁界の漏れ出しを抑えることが可能なため、電磁誘導を用いて冷媒を加熱させる電磁誘導加熱ユニットおよび空気調和装置において特に有用である。
【符号の説明】
【０１３０】
１  空気調和装置
６  電磁誘導加熱ユニット
１０  冷媒回路
１４  サーミスタ
１５  ヒューズ
２１    圧縮機
２２    四路切換弁
２３    室外熱交換器
２４    電動膨張弁
２５    アキュームレータ
４１    室内熱交換器
６５    ボビン本体
６８    コイル
７１〜７４    第１フェライトケース〜第４フェライトケース
７５    遮蔽カバー
９８、９９    第１フェライト、第２フェライト
Ｆ    アキューム管、冷媒配管
【先行技術文献】
【特許文献】
【０１３１】
【特許文献１】特開平８−２１０７２０号公報
【図１】
2010159907.tif 000003
【図２】
2010159907.tif 000004
【図３】
2010159907.tif 000005
【図４】
2010159907.tif 000006
【図５】
2010159907.tif 000007
【図６】
2010159907.tif 000008
【図７】
2010159907.tif 000009
【図８】
2010159907.tif 000010
【図９】
2010159907.tif 000011
【図１０】
2010159907.tif 000012
【図１１】
2010159907.tif 000013
【図１２】
2010159907.tif 000014
【図１３】
2010159907.tif 000015
【図１４】
2010159907.tif 000016
【図１５】
2010159907.tif 000017
【図１６】
2010159907.tif 000018
【図１７】
2010159907.tif 000019
【図１８】
2010159907.tif 000020
【図１９】
2010159907.tif 000021
【図２０】
2010159907.tif 000022
【図２１】
2010159907.tif 000023
【図２２】
2010159907.tif 000024
【図２３】
2010159907.tif 000025
【図２４】
2010159907.tif 000026
【図２５】
2010159907.tif 000027